(57)【要約】【課題】パネル１１が開いた状態で、パネル１１自身の重量負荷により、パネル１１の左右の開き寸法に差が生じないようにすること。【解決手段】吸込口の前面を自動開閉するパネル１１を有し、前記パネル１１を駆動するメカ装置が、動力部品６と複数の機構部品とその複数の機構部品を伝達軸４で連結して構成された空気調和機において、前記パネル１１開時に前記動力部品６に近い側の機構部品のスタート動作が、前記動力部品より遠い側の機構部品よりも遅れて駆動するように構成したものを提供する。【選択図】図１
2008261533.tif 000002
【特許請求の範囲】
【請求項１】
吸込口の前面を自動開閉するパネルを有し、前記パネルを駆動するメカ装置が、動力部品と複数の機構部品とその複数の機構部品を伝達軸で連結して構成された空気調和機であって、前記パネル開時に前記動力部品に近い側の機構部品のスタート動作が、前記動力部品より遠い側の機構部品よりも遅れて駆動するように構成したことを特徴とする空気調和機。
【請求項２】
前記伝達軸が挿入される前記動力部品に近い側の機構部品の軸受け穴形状の伝達用平面部を腰折れ形状面で構成したことを特徴とする請求項１に記載の空気調和機。 
【発明の詳細な説明】
【技術分野】
【０００１】
本発明は、吸込口の前面を自動開閉するパネルを有する空気調和機の室内機に関するものである。
【背景技術】
【０００２】
従来、この種の空気調和機の構成は、吸込口の前面を自動開閉するパネルを有し、前記パネルを駆動するメカ装置が、動力部品と複数の機構部品とその複数の機構部品を伝達軸で連結して構成されている（例えば、特許文献１参照）。
【特許文献１】特開２００５−１３４０２９号公報
【発明の開示】
【発明が解決しようとする課題】
【０００３】
しかしながら、前記従来の構成では、前記パネルが開いた状態ではパネル自身の重量負荷により前記伝達軸に捻じれ応力が発生しているため、前記動力部品に近い側の機構部品の動作距離に対し前記動力部品より遠い側の機構部品の動作距離が短くなってしまい前記パネルの左右の開き寸法に差が生じて見映えが悪くなっていた。
【０００４】
本発明は、前記従来の課題を解決するもので、前記パネル開時に前記動力部品に近い側の機構部品のスタート動作が、前記動力部品より遠い側の機構部品よりも遅れて駆動する構成を提供することにより、前記パネル開状態での見栄えの向上を図ることを目的とする。
【課題を解決するための手段】
【０００５】
前記従来の課題を解決するために、本発明の空気調和機は、吸込口の前面を開閉する可動パネルを有し、前記パネルを駆動するメカ装置が、動力部品と複数の機構部品とその複数の機構部品を伝達軸で連結して構成された空気調和機において、前記パネル開時に前記動力部品に近い側の機構部品のスタート動作が、前記動力部品より遠い側の機構部品よりも遅れて駆動するように構成したものである。
【０００６】
これによって、動力部品に近い側の機構部品と、遠い側の機構部品の動作距離の差によるパネルの左右の開き寸法の差を解消する。
【発明の効果】
【０００７】
本発明の空気調和機は、可動パネル開時に前記動力部品に近い側の機構部品のスタート動作が、前記動力部品より遠い側の機構部品よりも遅れて駆動する構成を提供することができ、パネル開状態での左右の開き寸法の差をなくして、パネル開状態においての見栄え向上を図ることができ、ユーザーの不安を解消することができる。
【発明を実施するための最良の形態】
【０００８】
第１の発明は、吸込口の前面を開閉する可動パネルを有し、前記パネルを駆動するメカ装置が、動力部品と複数の機構部品とその複数の機構部品を伝達軸で連結して構成された空気調和機において、前記パネル開時に前記動力部品に近い側の機構部品のスタート動作が、前記動力部品より遠い側の機構部品よりも遅れて駆動するように構成したものである。本実施の形態によれば、前記動力部品に近い側の機構部品と遠い側の機構部品の動作距離のずれを防止することができるため前記パネルの左右の開き寸法に差が生じることがなく、前記パネル開状態での見栄え向上を図ることができる。
【０００９】
第２の発明は、前記伝達軸が挿入される前記動力部品に近い側の機構部品の軸受け穴形状の伝達用平面部を腰折れ形状面で構成したものである。本実施の形態によれば、駆動時に軸受け部に係る力を確実に面で受けることができるため、信頼性の高い動力伝達を行うことができる。
【００１０】
以下、本発明の実施の形態について、図面を参照しながら説明する。尚、この実施の形態によって本発明が限定されるものではない。
【００１１】
（実施の形態１）
図４は、本発明の一実施例による空気調和機の正面図、図１は本発明の一実施例による空気調和機のパネル開閉用の動力部品に近い側の機構部品構成を表した図４のＥ−Ｅによる断面図、図２は同空気調和機の動力部品に遠い側の機構部品構成を表した図４のＦ−Ｆによる断面図、図３は同空気調和機の上面図である。そして、図５は図１の機構部品の詳細図、図６は図５の軸構成の詳細図、図７は図２の機構部品の詳細図、図８は図７の軸構成の詳細図である。
【００１２】
図１において、空気調和機１７は、その本体１７内部に、送風ファン１３を中心に構成された送風ケーシング１４を有し、その手前から上部にかけて熱交換器１２を構成し、その熱交換器１２の前面側に自動開閉するパネル１１を構成している。また、送風ファン１３の下部に吹出グリル１５を構成し、その先に風向変更羽根１６を構成している。
【００１３】
以上のように構成された空気調和機において、前記パネル１１の自動開閉構成について説明する。本体１７内部の熱交換器１２の手前上部位置に動力部品６が設けて有り、その内部には動力ギヤ６ａを保有している。また、吸入グリル１０側に伝達軸４を設けて有り、その伝達軸４に系合された扇ギヤ５、駆動用アーム（左側）１、駆動用アーム（右側）２を設けて構成されている。また、前記駆動用アーム（左側）１、（右側）２にはガイド用アーム３がそれぞれ連結されている。そして、前記パネル１１は前記駆動用アーム（左側）１、（右側）２及びガイド用アーム３によって支持固定されている。
【００１４】
次にパネル１１の開閉動作について説明する。図９、１０は運転停止時のパネル１１閉状態の図で、図１、２、３は運転時のパネル開状態の図である。図において、動力部品６内部の動力ギヤ６ａの回転が扇ギヤ５に伝わり伝達軸４を回転させ駆動用アーム１、駆動用アーム２をそれぞれ回転動作させることにより連結されたガイドアーム３と共にパネル１１を駆動させるものである。ここで、図１１は従来のパネル１１開状態の上面図であり、同じ駆動用アーム２を複数個使用した場合、パネル１１開状態においてはパネル１１の重量負荷により動力部品６に直結された扇ギヤ５を基点として伝達軸４にネジレ応力が発生し、動力部品６より遠い駆動用アーム２の回転動作角度が伝達軸４のネジレ角度分だけ小さくなり（パネル１１の開き寸法が左側Ｄ、右側Ｄ−Ｘ）、パネル１１の開き寸法に差が生じて見映えが悪くなっていた。そのため本発明では、前記動力部品６に近い駆動用アーム（左側）１のスタート動作を伝達軸４のネジレ角度分だけ遅れて回転駆動する構成にしたもので、このことにより図３のようにパネル１１開状態の左右の開き巾Ｃ寸法を同一にすることができ、見栄えの向上を図ることができる。
【００１５】
さらに、図５、６おいて、前記動力部品６に近い駆動用アーム（左側）１の軸受け部１ａの伝達平面部１ｂにＡ°の角度を持った腰折れ面１ｃを設けて構成したもので、前記伝達軸４のＤカット面４ａからの回転動力をＡ°ずらした時点で軸受け部１ａの腰折れ面１ｃが受けることにより、面圧で動力を伝えることができるため確実な動力伝達を行うことができる。尚、前記角度寸法Ａ°は前記パネル１１の重量の増減によって変化する伝達軸４のネジレ角度に相当するものである。
【００１６】
上記実施例によれば、パネル１１が開いた状態で、パネル１１自身の重量負荷が掛かってもパネル１１の左右の開き寸法に差が生じない構成になっているため、見映えの安定化を図ることができる。
【産業上の利用可能性】
【００１７】
以上のように、本発明にかかる空気調和機は、動力部品と機構部品が離れて構成されたメカ装置によって駆動される可動パネルの左右の開き寸法の差を解消することができるので、開閉する可動パネルを有する空気清浄機等の用途にも適用できる。
【図面の簡単な説明】
【００１８】
【図１】本発明の一実施例による空気調和機の図４のＥ−Ｅによる断面図
【図２】同空気調和機の図４のＦ−Ｆによる断面図
【図３】同空気調和機の上面図
【図４】同空気調和機の正面図
【図５】図１の機構部品の（ａ）パネル開時の詳細図（ｂ）パネル閉時の詳細図
【図６】図５の軸構成の（ａ）パネル開時の詳細図（ｂ）遷移時の詳細図（ｃ）パネル閉時の詳細図
【図７】図２の機構部品の（ａ）パネル開時の詳細図（ｂ）パネル閉時の詳細図
【図８】図７の軸構成の（ａ）パネル開時の詳細図（ｂ）遷移時の詳細図（ｃ）パネル閉時の詳細図
【図９】同空気調和機のパネル閉時の上面図
【図１０】同空気調和機のパネル閉時の断面図
【図１１】従来例の上面図
【符号の説明】
【００１９】
１  駆動用アーム（左側）
１ａ  軸受け部
１ｂ  伝達平面部
１ｃ  腰折れ面
２  駆動用アーム（右側）
２ａ  軸受け部
２ｂ  伝達用平面部
３  ガイド用アーム  
４  伝達軸
４ａ  Ｄカット面
５  扇ギヤ
６  動力部品
６ａ  動力ギヤ
１０  吸入グリル
１１  パネル
１２  熱交換器
１３  送風ファン
１４  送風ケーシング
１５  吹出しグリル
１６  風向変更羽根
１７  本体
【図１】
2008261533.tif 000003
【図２】
2008261533.tif 000004
【図３】
2008261533.tif 000005
【図４】
2008261533.tif 000006
【図５】
2008261533.tif 000007
【図６】
2008261533.tif 000008
【図７】
2008261533.tif 000009
【図８】
2008261533.tif 000010
【図９】
2008261533.tif 000011
【図１０】
2008261533.tif 000012
【図１１】
2008261533.tif 000013